【事件の表示】
　特許第３１９６０６４号「引違いサッシの召合せ部水密構造」の請求項１及び請求項２に係る特許に対する特許異議の申立てについて、次のとおり決定する。
【結　論】
　訂正を認める。
　特許第３１９６０６４号の請求項１に係る特許を取り消す。
【理　由】
Ｉ．手続の経緯
　本件特許第３１９６０６４号の請求項１に係る発明は、平成８年１月３１日に出願されたものであって、平成１３年６月８日にその特許の設定登録がされ、その後、平成１３年１２月２７日に三協アルミニウム工業株式会社より、特許異議の申立てがあり、平成１４年７月５日（発送日）に取消理由通知がなされ、その指定期間内である平成１４年９月３日に特許異議意見書の提出と共に訂正請求がされ、さらに平成１４年１０月１日（発送日）に審尋され、これに対して平成１４年１０月３１日に上記異議申立人から回答書が提出されたものである。
　　　　
II．訂正の適否についての判断
１．訂正の内容
　特許権者が求めている訂正の内容は、以下の（イ）〜（ホ）からなる。
（イ）特許明細書の特許請求の範囲の請求項１を削除する。
（ロ）特許明細書の特許請求の範囲の請求項２を、
「【請求項１】　サッシ枠に内障子と外障子を面内方向に移動自在に装着した引違いサッシにおいて、
　前記サッシ枠を構成する下枠における内・外障子の召合せ框と対向した位置に、上面が長手方向に不連続で、その不連続部分を下面まで連続する排水部を有する風止部材を取付け、また、前記下枠を、内下レールと外下レール、この内下レールと外下レールとの間の凹部、この凹部よりも下部に中空部を有する形状とし、　前記凹部における内・外障子の召合せ框と対向した位置に前記風止部材を取付け、前記凹部の下方に風止部材の排水部を前記中空部に開口する第１次排水孔を形成し、さらに、この第１次排水孔を前記下枠の下方に設けた前記中空部の室外側に開口させる第２次排水孔に連通させる構成にし、
　内障子の召合せ框下面と外障子の召合せ框下面を前記風止部材の上面に接して水密にしたことを特徴とする引違いサッシの召合せ部水密構造。」と訂正する。
（ハ）特許明細書の段落【０００６】の「この風止部材の排水部を室外側に開口させる排水孔を下枠に形成し、内障子の召合せ框下面と外障子の召合せ框下面を前記風止部材の上面に接して水密したことを特徴とする引違いサッシの召合せ部水密構造である。第２の発明は、第１の発明の下枠を、内下レールと外下レール、この内下レールと外下レールとの間の凹部、この凹部よりも下部に中空部を有する形状とし、前記凹部における内・外障子の召合せ部と対向した位置に前記風止部材を取付け、前記凹部の底部に風止部材の排水部を中空部に開口する第１次排水孔を形成し、前記下枠には中空部を室外側に開口する第２次排水孔を形成した引違いサッシの召合せ部水密構造である。」（特許公報３欄２０〜３２行）を
「また、前記下枠を、内下レールと外下レール、この内下レールと外下レールとの間の凹部、この凹部よりも下部に中空部を有する形状とし、
　前記凹部における内・外障子の召合せ框と対向した位置に前記風止部材を取付け、前記凹部の下方に風止部材の排水部を前記中空部に開口する第１次排水孔を形成し、さらに、この第１次排水孔を前記下枠の下方に設けた前記中空部の室外側に開口させる第２次排水孔に連通させる構成にし、
　内障子の召合せ框下面と外障子の召合せ框下面を前記風止部材の上面に接して水密にしたことを特徴とする引違いサッシの召合せ部水密構造である。」と訂正する。
（ニ）特許明細書の段落【０００７】及び段落【００３６】の「第２の発明によれば、」（特許公報３欄４４〜４５行及び特許公報８欄１行）を「さらに、」と訂正する。
（ホ）特許明細書の段落【００１２】の「下レール」（特許公報４欄２９行）を「外レール」と訂正する。
　　　　　
２．訂正の目的の適否、新規事項の有無及び拡張・変更の存否
　訂正事項（イ）は、請求項１を削除するものであるから、特許請求の範囲の減縮を目的としたものであり、訂正事項（ロ）は、訂正事項（イ）の請求項１の削除に伴い、訂正前の請求項１を引用する請求項２を独立形式に訂正し、請求項１としたもので、そのため表現上一致させ又は対応するようにし、明りようとしたものであるから、明りようでない記載の釈明を目的としたものである。
　訂正事項（ハ）及び（ニ）は、特許請求の範囲の記載を訂正したことに伴い、特許請求の範囲の記載と発明の詳細な説明の記載との整合を図るための訂正であり、明りようでない記載の釈明を目的とするものであり、訂正事項（ホ）は、誤記の訂正を目的とするものである。
　そして、訂正事項（イ）〜（ホ）は、それぞれ、願書に添付した明細書又は図面に記載した事項の範囲内の訂正であり、実質上特許請求の範囲を拡張又は変更するものであるとはいえない。
　　　　　
３．むすび
　以上のとおりであるから、上記訂正は、特許法第１２０条の４第２項及び同条第３項において準用する特許法第１２６条第２項から第４項までの規定に適合するので、当該訂正を認める。
　　　　
III．特許異議申立てについて
１．本件請求項１に係る発明
　上記II．２．及び３．で示したように、上記訂正が認められるから、本件特許第３１９６０６４号の請求項１に係る発明（以下、「本件請求項１に係る発明」という。）は、訂正明細書の特許請求の範囲の請求項１に記載された事項により特定されるとおりであり、上記ＩＩ．１．（ロ）に記載されるとおりのものである。
　　　　　
２．取消理由の概要
　取消理由は、上記異議申立人が提出した甲第１号証（実願昭５９−１０７３５０号(実開昭６１−２２８９１号)のマイクロフィルム）を刊行物１として、同じく甲第２号証（特開昭６０−２５０１８９号公報）を刊行物２として、同じく甲第３号証（特開平７−２４３２８７号公報）を刊行物３として、それぞれ引用し、訂正前の本件請求項１に係る発明は、その出願前に国内で頒布された刊行物１及び２記載の発明に基いて、また、訂正前の本件請求項２に係る発明は、その出願前に国内で頒布された刊行物１〜３記載の発明に基いて当業者が容易に発明をすることができたものであり、訂正前の本件請求項１及び２に係る発明の特許は、いずれも特許法第２９条第２項の規定に違反してなされたものであるから、取り消されるべきものであるとしている。
　　　　　
３．刊行物１〜３の記載事項
（刊行物１）
　第１実施例として、嵌め殺し障子Ｂ′と、面内方向に転動する障子Ｂとからなるものが記載され、
「本考案は斯様な装置を用いて障子Ｂを降下させたとき、召合せ框１ｄの部片４が下枠２ａに設けた風止め材５に当接して障子下部の風止めを行うものである。
　風止め材５は下枠２ａの召合せ部中央に螺子止めした風止め基板６の上面中央に設けた切欠縁７に係合止着した合成ゴム体（或いはスポンジその他の弾性体が良い）で成り、この風止め材５を接離する部片４は前記召合せ框１ｄに設けた煙返しで構成するのである。
　図示８は下框１ａに設けた気密材で、この気密材８は障子閉鎖時に下枠２ａに圧接し、しかも、該一部は前記風止め基板６の側縁に設けた曲縁６′を係離するようになっている。」（４頁５〜１８行及び第１〜５図）と記載されている。
　また、第２実施例として、面内方向に転動する外障子Ｂ及び内障子Ｂとからなるものが記載され、
「第６図および第７図は引違い障子の場合を示す。
　しかして、操作装置Ｃを操作して障子Ｂを降下すなわち閉鎖状態にすると、……障子下部においては、部片４および気密材４´が風止め材５に当接して風の侵入を防ぐ一方、気密材８が下枠２ａに喰い込んで気密状態が維持されるのである。」（５頁２０行〜６頁１３行）及び
「本考案によれば、雨風の侵入を防ぐことができるから、尚一層実用的な障子装章を提供できる。」（７頁５〜７行）と記載され、
　第６図には、「窓枠を構成する下枠２ａは、内障子Ｂと外障子Ｂとがそれぞれ転動する内障子下部案内レール３と外障子下部案内レール３を有し、内障子下部案内レール３と外障子下部案内レール３との間は凹部となり、この凹部よりも下部に中空部を有する形状となっており、風止め基板６は、前記凹部に取付けられていること。」が記載されている。
　以上の記載によれば、刊行物１には、第１実施例を参酌した第２実施例として、
「窓枠に内障子Ｂと外障子Ｂを面内方向に移動自在に装着した引違い障子において、前記窓枠を構成する下枠２ａにおける内・外障子Ｂ，Ｂの召合せ框１ｄと対向した位置に上面に風止め材５を備えた風止め基板６を取付け、また、前記下枠２ａを内障子下部案内レール３と外障子下部案内レール３、この内障子下部案内レール３と外障子下部案内レール３との間の凹部、この凹部よりも下部に中空部を有する形状とし、前記凹部における内・外障子Ｂ，Ｂの召合せ框１ｄと対向した位置に前記風止め基板６を取付け、内・外障子Ｂ，Ｂの召合せ框１ｄの部片４下面を前記風止め基板６の上面の風止め材５に接して水密にした引違い障子の召合せ部水密構造。」という発明が記載されていると認められる。
（刊行物２）
「１．下枠の基板に段壁を形成して低段板と高段板を設け、その低段板には外レールを、高段板には内レールを夫々立設し、外障子下部室内側面と段壁間を外障子用パッキングで、内障子下部室内側面と雨返し片間を内障子用パッキングで夫々塞ぐようにしたサッシにおいて、障子閉鎖時に内障子召合せ框下端と下枠の基板間の隙間を前記内、外障子用パッキングに連続して塞ぐようにした塞ぎ部材を下枠の召合せ部又は内障子召合せ框に設け、この塞ぎ部材の内障子閉鎖側へ間隔をあけた位置には、外障子召合せ框と内レール及び前記段壁間における障子閉鎖時の内障子召合せ框下部と下枠の基板間の少なくとも上部を塞ぐようにした隔壁ピースを下枠に止着し、この隔壁ピースと塞ぎ部材間には内レールより室外側の高段板を無くして内障子召合せ框下に水落し空間を設け、この水落し空間が室外と等圧になるように外障子外側と連通させて成ることを特徴とするサッシ召合せ框下部の気密構造。
２．下枠は、障子閉鎖時に内障子召合せ框下方に位置する高段板の、内レールより室内側部分に水抜孔を備え、この水抜孔の下方を水落し空間に連通させて成ることを特徴とする特許請求の範囲第１項記載のサッシ召合せ框下部の気密構造。」（１頁特許請求の範囲）、
「実施例
　第１〜４図において、
・・・
　このような構成によれば、・・・障子閉鎖状態で、室外から内障子召合せ框１７下部へ雨水が吹き付けたとき、この雨水は隔壁ピース２１を直接濡らすに止まり、更に雨水が外障子召合せ框２２の煙返し２２ａや内障子召合せ框１７下端と隔壁ピース２１との隙間から水落し空間２３に浸入しても、水落し空間２３が外障子１２下部の等圧空間Ｐ１と連通して室外と等圧空間となっているため、雨水はこの水落し空間２３に溜まることなく下枠１の外レール６に沿って流れ、外レール６の排水孔２５から排水されて、塞ぎ部材１８、１９に雨水は殆んどかからず、従って気水密性を安定かつ向上させる。」（２頁左下欄１８行〜４頁左上欄２行）及び
「他の実施例
　第５〜８図において、下枠１はその高段板５が内レール７より室外側へ突出されて先端に外障子用パッキング１５ａの装着溝１５が下枠１全長に亙って形成され、閉鎖時の外障子１２と対向する装着溝１５に外障子用パッキング１５ａが装着されている。この下枠１の内レール７の室外側の高段板５は、閉鎖時の内障子召合せ框１７下端と対応している部分が内障子召合せ框１７の幅の約２／３程度の長さ（第６図に示すＬ）に亘って切欠かれている。この切欠部の一端１５Ａ（第６図右側）には高段板５の内レール７より室外側に外障子用パッキング１５ａの装着溝１５を上下から挟んで前記実施例同様のひれ片１９ｂを備えた塞ぎ部材１９が取付けられ、また、内レール６よりも室内側の高段板５にも塞ぎ部材１８が取付けられ、夫々前記実施例同様閉鎖時には、内障子召合せ框１７の開放方向寄りの下端の気密ピース１７ａとひれ片１８ａ、１８ｂ、１９ｂ上端が接し、ひれ片１９ｂの室外側端は外障子召合せ框２２の室内側片２２ｂと接するようになっている。また、切欠部の他端１５Ｂ（第６図左側）には、隔壁ピース２１Ａが取付けられ、この隔壁ピース２１Ａは取付座２１Ａａと一体の厚さｔの本体２１Ａｂと、この本件２１Ａｂの両側から上方及び室外側へ突設されたひれ片２１Ａｃを備え、本体２１Ａｂの室内側部は第８図に示すように下枠１の段壁２ａの凹部に嵌合されるように略台形の凸部２１Ａｄに形成されている。ひれ片２１Ａｃの室内側端及び本体２１Ａｂの凸部２１Ａｄへ連続する端部は内レール７の室外側面と下枠１の垂直壁８とに夫夫当接し、またひれ片２１Ａｃの上端は閉鎖時に内障子召合せ框１７下端の、内障子閉鎖方向端寄り部分と接すると共に外障子召合せ框２２下部室内側片２２ｂと接するようにしてあり、外障子召合せ框２２と内レール７及び段壁２ａ間における障子閉鎖時の内障子召合せ框１７下部と下枠１の基板３間の少なくとも上部が塞がれる。こうして塞ぎ部材１８、１９と隔壁ピース２１Ａによって、障子閉鎖時に内障子召合せ框１７下方に内レール７より室外側に高段板５が存在せず、水落し空間２３が形成され、この水落し空間２３は隔壁ピース２１Ａの下部と低段板４間の充分な空気通路及び、前記実施例同様外障子下方の等圧空間Ｐ１と連通してやはり等圧空間になっている。
　このような構造によっても、室外からの雨水は隔壁ピース２１Ａを直接濡らすにとどまり、万一、この隔壁ピース２１Ａのひれ片２１Ａｃと外障子召合せ框２２及び内障子召合せ框１７との接触面（シール部分）より雨水が水落し空間２３へ浸入しても、水落し空間２３が室外と等圧なので、雨水は水落し空間２３内に溜まらず下枠１の低段板４上へと落下して室外へ排出され、塞ぎ部材１８、１９を雨水が濡らすことを防止でき、そのシール性を向上させる。」（４頁左上欄２０行〜右下欄１４行）と記載されている。
（刊行物３）
「図１は本発明に係る引き違いサッシの一部省略横断面図、図２は本発明に係る引き違いサッシの一部省略縦断面図である。引き違いサッシは外障子１と内障子２とから構成され、外障子１は、図示しないガラスを上框７ａ、下框８ａ、戸先框９ａおよび召合框１０ａからなる縦框で囲繞して形成され、一方、内障子２も、図示しないガラスを上框７ｂ、下框８ｂ、戸先框９ｂおよび召合框１０ｂからなる縦框で囲繞して形成される。……下枠４には内外障子１、２の摺動方向に嵌合溝４ｃが形成されており、嵌合溝４ｃには外障子１の下框８ａに設けたローラ１１ａ、内障子２の下框８ｂに設けたローラ１１ｂが、それぞれ摺接するレール１２ａ、１２ｂが嵌入敷設してある。」（２欄３１〜４５行）、
「下枠４は形材４ａ、４ｂを係合させて構成されていると共に、所望箇所に外気導入角孔１６ａ、１６ｂ、１６ｃを形成して下枠４内に中空状の一体的な空間を形成してある。下枠４の室外に面する所望部位には室外と枠内空間とを連通する外気導入角孔１６ｄを設け、さらに下枠４には下枠４と障子１、２の下框との取り合い部に室内側から臨む外気導入スリット１７ａ、１７ｂが形成してあり、角孔１６ｄ、スリット１７ａ、１７ｂから下枠４内に外気を導入して下枠４内を室外と略等圧にしている。……外障子１、内障子２の下框８ａ、８ｂと下枠４との取り合い部位から侵入した水滴をスリット１７ａ、１７ｂから外気と略等圧である下枠内に逃がすようになっているので、気密ゴム部１８から室内に水滴が侵入しないようになっている。下枠４の底部は室外側に向かって緩い傾斜を有しており、斜面に沿って角孔１６ｂ、１６ｃ、１６ｄが形成してあるので、上記角孔を介して水滴が排出されるようになっている。」（３欄９〜２８行及び図２、３）及び
「図４の平面図に示すように水密ブロック１９の中空部１９ａは召合框１０ｂの中空部１０ｃの下方に位置している。水密ブロック１９の中空部１９ａは下枠内空間と連通されており、召合框１０ｂの中空部１０ｃは上下両端部に形成した外気導入孔２２を通じて上枠内空間と連通している。水密ブロック１９の室外に面する部位は十分な立上り寸法を有しており、水密ブロック１９は召し合わせ部位下方における水滴の侵入に対する堰となり、水返しとしての機能を有する。水密ブロック１９の背面の下枠４には水抜き用孔２０が形成してあり、万一、水滴が水密ブロック１９の背面にまで侵入した場合であっても、水抜き用孔２０から排出され、室内に侵入しないようになっている。尚、本実施例においては、水密ブロック１９とその背面に位置し水抜き用孔２０を形成した部位は一体として形成され、下枠４に一体的に組み込まれている。」（４欄２７〜４２行及び図１、３、４）と記載されている。
　　　　
４．対比・判断
　本件請求項１に係る発明と刊行物１記載の発明とを対比すると、
　刊行物１記載の発明の「窓枠」、「引違い障子」、「風止め材５を備えた風止め基板６」、「内障子下部案内レール３」及び「外障子下部案内レール３」は、本件請求項１に係る発明の「サッシ枠」、「引違いサッシ」、「風止部材」、「内下レール」及び「外下レール」に相当しており、両者は、
「サッシ枠に内障子と外障子を面内方向に移動自在に装着した引違いサッシにおいて、前記サッシ枠を構成する下枠における内・外障子の召合せ框と対向した位置に風止部材を取付け、下枠を、内下レールと外下レール、この内下レールと外下レールとの間の凹部、この凹部よりも下部に中空部を有する形状とし、前記凹部における内・外障子の召合せ框と対向した位置に風止部材を取付け、内障子の召合せ框下面と外障子の召合せ框下面を前記風止部材の上面に接して水密にした引違いサッシの召合せ部水密構造。」である点で、一致しているが、
（１）本件請求項１に係る発明は、風止部材が、上面が長手方向に不連続で、その不連続部分を下面まで連続する排水部を有するものとしているのに対して、刊行物１には、そのような構造が記載されていない点、及び
（２）本件請求項１に係る発明は、凹部の下方に風止部材の排水部を中空部に開口する第１次排水孔を形成し、さらに、この第１次排水孔を下枠の下方に設けた中空部の室外側に開口する第２次排水孔に連通させるようにしているのに対して、刊行物１には、そのような構造が記載されていない点、で相違している。
　そこで、上記相違点について検討すると、
　相違点（１）について
　刊行物２には、ひれ片１８ａ、１８ｂ、１９ｂを備えた塞ぎ部材１８、１９とひれ片２１Ａｃを備えた隔壁ピース２１Ａとの間に水落し空間２３を設け、隔壁ピース２１Ａのひれ片２１Ａｃと内障子召合せ框１７及び外障子召合せ框２２との接触面より雨水が浸入しても、雨水を水落し空間２３より下枠１の低段板４上へ落下して外レール６の室外側に開口した排水孔２５から室外へ排出し、そのシール性を向上させた引違いサッシの召合せ部水密構造という発明が記載されている。そして、刊行物２記載の発明の「水落し空間２３」は、本件請求項１に係る発明の「排水部」に相当し、刊行物２記載の発明も塞ぎ部材１８、１９と隔壁ピース２１Ａとで、内・外障子の召合せ部の水密手段を構成するものであり、隔壁ピース２１Ａのひれ片２１Ａｃと塞ぎ部材１８、１９のひれ片１８ａ、１８ｂ、１９ｂは長手方向に不連続で、その不連続部分に排水部を設けたものということができるから、上記相違点における本件請求項１に係る発明の事項は、刊行物１記載の発明に刊行物２記載の発明を適用することによってなし得られるもので、かくすることは、当業者であれば必要に応じて容易になし得ることにすぎない。
　相違点（２）について
　刊行物３には、サッシ枠を構成する下枠４は、内障子用のレール１２ｂと外障子用のレール１２ａを有し、これらレール１２ａ、１２ｂの間の下部を中空部とした形状であって、下枠４における内・外障子２、１の召し合わせ部と対向した位置に、水密ブロック１９を取付け、水密ブロック１９の中空部１９ａと水抜き用孔２０を、下枠４の前記中空部の空間と連通し、さらに、下枠４の下方に設けた前記中空部の室外側に開口する外気導入孔１６ｄで室外に連通した引き違いサッシの召合せ部水密構造という発明が記載されている。そして、刊行物３記載の発明の「水密ブロック１９の中空部１９ａと水抜き用孔２０」、「室外側に開口する外気導入孔１６ｄ」は、本件請求項２に係る発明の「第１次排水孔」、「第２次排水孔」に対応するものということができ、そして、相違点（２）における本件請求項１に係る発明の排水構造に格別な作用効果が認められず、刊行物１記載の発明の下枠構造に刊行物３記載の発明を適用することによってなし得られるものであり、かくすることは、当業者であれば、必要に応じて容易に想到できることにすぎない。
　よって、本件請求項１に係る発明は、刊行物１〜３記載の発明に基いて当業者が容易に発明をすることができたものである。
　　　　　
５．むすび
　以上のとおりであるから、本件請求項１に係る発明は、特許法第２９条第２項の規定により、特許を受けることができない。
　したがって、本件請求項１に係る発明の特許は、特許法第１１３条第２号の規定に該当し、取り消されるべきものである。
　よって、結論のとおり決定する。
【異議決定日】
平成１５年１月１５日（２００３．１．１５）
【訂正の要旨】
　▲１▼　ａ．訂正事項
　請求項１を削除する。
　▲２▼　ｂ．訂正事項
　訂正前の請求項２を請求項１とし、構成「前記下枠を、内下レールと外下レール、この内下レールと外下レールとの間の凹部、この凹部よりも下部に中空部を有する形状とし、
　前記凹部における内・外障子の召合せ部と対向した位置に前記風止部材を取付け、前記凹部の底部に風止部材の排水部を中空部に開口する第１次排水孔を形成し、
　前記下枠には中空部を室外側に開口する第２次排水孔を形成した請求項１記載の引違いサッシの召合せ部水密構造。」を
　「サッシ枠に内障子と外障子を面内方向に移動自在に装着した引違いサッシにおいて、
　前記サッシ枠を構成する下枠における内・外障子の召合せ
框
　前記凹部における内・外障子の召合せ框と対向した位置に前記風止部材を取付け、前記凹部の下方に風止部材の排水部を前記中空部に開口する第１次排水孔を形成し、さらに、この第１次排水孔を前記下枠の下方に設けた前記中空部の室外側に開口させる第２次排水孔に連通させる構成にし、
　内障子の召合せ框下面と外障子の召合せ框下面を前記風止部材の上面に接して水密にしたことを特徴とする引違いサッシの召合せ部水密構造。」と特許請求の範囲の減縮を目的として訂正する。
　▲３▼　ｃ訂正事項
　特許請求の範囲の記載と発明の詳細な説明の記載との整合を図るため、明りょうでない記載の釈明を目的として、段落番号［０００６］第６行〜１６行目「この風止部材の排水部を室外側に開口させる排水孔を下枠に形成し、
　内障子の召合せ框下面と外障子の召合せ框下面を前記風止部材の上面に接して水密したことを特徴とする引違いサッシの召合せ部水密構造である。
　第２の発明は、第１の発明の下枠を、内下レールと外下レール、この内下レールと外下レールとの間の凹部、この凹部よりも下部に中空部を有する形状とし、
　前記凹部における内・外障子の召合せ部と対向した位置に前記風止部材を取付け、前記凹部の底部に風止部材の排水部を中空部に開口する第１次排水孔を形成し、
　前記下枠には中空部を室外側に開口する第２次排水孔を形成した引違いサッシの召合せ部水密構造である。」を
　「また、前記下枠を、内下レールと外下レール、この内下レールと外下レールとの間の凹部、この凹部よりも下部に中空部を有する形状とし、
　前記凹部における内・外障子の召合せ框と対向した位置に前記風止部材を取付け、前記凹部の下方に風止部材の排水部を前記中空部に開口する第１次排水孔を形成し、さらに、この第１次排水孔を前記下枠の下方に設けた前記中空部の室外側に開口させる第２次排水孔に連通させる構成にし、
　内障子の召合せ框下面と外障子の召合せ框下面を前記風止部材の上面に接して水密にしたことを特徴とする引違いサッシの召合せ部水密構造である。」と訂正する。
　▲４▼　ｄ訂正事項
　段落番号［０００７］第１０行目及び段落番号［００３６］第１行目「第２の発明によれば、」を「さらに、」と訂正する。
　▲５▼　ｅ訂正事項
段落番号［００１２］第４行目「下レール」を「外レール」と訂正する。
（５４）【発明の名称】
引違いサッシの召合せ部水密構造
（５７）【特許請求の範囲】
　【請求項１】　サッシ枠に内障子と外障子を面内方向に移動自在に装着した引違いサッシにおいて、
　前記サッシ枠を構成する下枠における内・外障子の召合せ
框
また、前記下枠を、内下レールと外下レール、この内下レールと外下レールとの間の凹部、この凹部よりも下部に中空部を有する形状とし、
　前記凹部における内・外障子の召合せ框と対向した位置に前記風止部材を取付け、前記凹部の下方に風止部材の排水部を前記中空部に開口する第１次排水孔を形成し、さらに、この第１次排水孔を前記下枠の下方に設けた前記中空部の室外側に開口させる第２次排水孔に連通させる構成にし、
　内障子の召合せ框下面と外障子の召合せ框下面を前記風止部材の上面に接して水密にしたことを特徴とする引違いサッシの召合せ部水密構造。
【発明の詳細な説明】
　【０００１】
　【発明の属する技術分野】
　本発明は、サッシ枠に内障子と外障子を面内方向に移動自在に装着した引違いサッシにおいて召合せ部から雨水が室内側に浸入しないようにする召合せ部の水密構造に関する。
　【０００２】
　【従来の技術】
　引違いサッシにおいては、内・外障子を閉じた時に内障子の召合せ框と外障子の召合せ框との間を水密しているが、各召合せ框の下面と下枠との間に空間があるので、その空間より雨水が室内側に浸入する。
　【０００３】
　このために、例えば実開昭６１−２２８９１号公報に示すように、下枠の召合せ部に風止部材を取付け、内・外障子の各召合せ框の下面を風止部材に接して雨水が室内側に浸入しないようにしてある。
　【０００４】
　【発明が解決しようとする課題】
　外障子の召合せ框下面と風止部材との接触部は室外側に露出しているから、その接触部分を伝わって雨水が毛細管現象により室内側まで浸入することがあり、十分な水密性能が得られない。
　【０００５】
　そこで、本発明は前述の課題を解決できるようにした引違いサッシの召合せ部水密構造を提供することを目的とする。
　【０００６】
　【課題を解決するための手段】
　第１の発明は、サッシ枠に内障子と外障子を面内方向に移動自在に装着した引違いサッシにおいて、
　前記サッシ枠を構成する下枠における内・外障子の召合せ
框
また、前記下枠を、内下レールと外下レール、この内下レールと外下レールとの間の凹部、この凹部よりも下部に中空部を有する形状とし、
　前記凹部における内・外障子の召合せ框と対向した位置に前記風止部材を取付け、前記凹部の下方に風止部材の排水部を前記中空部に開口する第１次排水孔を形成し、さらに、この第１次排水孔を前記下枠の下方に設けた前記中空部の室外側に開口させる第２次排水孔に連通させる構成にし、
　内障子の召合せ框下面と外障子の召合せ框下面を前記風止部材の上面に接して水密にしたことを特徴とする引違いサッシの召合せ部水密構造
　【０００７】
　【作　　用】
　第１の発明によれば、風止部材の上面が長手方向に不連続であることから、その風止部材の上面と外障子の召合せ框の下面との接触部に毛細管現象で浸入した雨水は不連続部分に滴下して室内側まで浸入しない。
　また、風止部材には不連続部分を下面まで連続した排水部が形成され、その排水部は下枠に形成した排水孔で室外側に開口していることから、前記不連続部分に滴下した雨水は排水部、排水孔より下枠の室外側に排水される。
　これによって、内・外障子の召合せ部から雨水が室内側に浸入することを確実に防止できるので、水密性の優れた召合せ部水密構造となる。
　
さらに、
　【０００８】
　【発明の実施の形態】
　図１に示すように、サッシ枠１は上枠２と下枠３と一方の縦枠４と他方の縦枠５を方形枠組みしたものである。このサッシ枠１の室内寄りに内障子６、室外寄りに外障子７が面内方向に移動自在にそれぞれ装着されて引違いサッシを構成している。
　【０００９】
　前記内障子６は上框８、下框９、召合せ框１０、戸当り框１１を方形框組みし、その内部にガラス１２が取付けてある。前記外障子７は上框１３、下框１４、召合せ框１５、戸当り框１６を方形框組みし、その内部にガラス１７が取付けてある。
　【００１０】
　前記内障子６の戸当り框１１、外障子７の戸当り框１６にはハンドル１８が取付けてあり、このハンドル１８を矢印方向に回動すると内障子６、外障子７が上方に移動し、ハンドル１８を図１に示す状態とする内障子６、外障子７が下方に移動して図１に示す状態となるようにしてある。この構造は例えば実公平３−１７０３８号公報に示すように従来周知である。
　【００１１】
　前記下枠３の形状を図２と図３に基づいて説明する。
　室内側縦板２０の下部寄りに下横板２１を一体的に設け、この下横板２１に室内寄り中間縦板２２と室外寄り中間縦板２３を一体的に設け、室内寄り中間縦板２２の上端部と室内側縦板２０の上端部とに亘って室内側横板２４を一体的に設け、その室内側横板２４に室内側立上り片２５を一体的に設けてある。
　【００１２】
　前記室内寄り中間縦板２２の上下中間部と室外寄り中間縦板２３の上下中間部とに亘って中間横板２６を一体的に設けて中空部２７を構成している。この中間横板２６の室内寄りに内立上り片２８、室外寄りに外立上り片２９をそれぞれ一体的に設けて内レール取付凹部３０と
外
　【００１３】
　前記内レール取付凹部３０には中空形状の内下レール３３が嵌合して取付けられ、外レール取付凹部３１には中空形状の外下レール３４が嵌合して取付けてある。前記凹部３２は閉塞部材、例えばプレート３５で閉塞してあり、凹部３２とプレート３５で補助中空部３６を構成している。
　【００１４】
　前記内立上り片２８の上部と外立上り片２９の上部に係止部となる突片３７が相対向して一体的に設けてあり、前記プレート３５の幅方向両側下面には被係合となるＬ字片３８がそれぞれ一体的に設けてあり、このＬ字片３８を前記突片３７に長手方向よりスライドして係合することでプレート３５を取付けてある。
　【００１５】
　前記内障子６の召合せ框１０（以下内召合せ框１０という）は図２に示すように本体４０と、この本体４０の外面４１と室外面４２に沿って取付けたアタッチメント４３より成る。このアタッチメント４３の本体４０室外面４２に沿った部分４３ａには内煙返し４４が一体的に設けてあると共に、内召合せシール材４５が装着してある。
　【００１６】
　前記アタッチメント４３の本体４０外面４１に沿った部分４３ｂの下部内面には図２と図４に示すようにシール材４６が裏板４７を介してビス４８で取付けてあり、このシール材４６の下部はほぼ下向きＶ字状となって内下レール３３と後述する風止部材に接するようにしてある。前記アタッチメント４３の本体４０外面４１に沿った部分４３ｂの下部外面には図２と図４に示すように下部小口隠し４９が取付けてある。
　【００１７】
　前記外障子７の召合せ框１５（以下外召合せ框１５という）は図２に示すように本体５０と、この本体５０の外面５１と室内面５２に沿って取付けたアタッチメント５３より成る。このアタッチメント５３の本体５０室内面５２に沿った部分５３ａには外煙返し５４が一体的に設けてあると共に、外召合せシール材５５が装着してある。
　【００１８】
　前記アタッチメント５３の本体５０外面５１に沿った部分５３ｂの下部内面には図２と図４に示すようにシール材５６が裏板５７を介してビス５８で取付けてあり、このシール材５６の下部はほぼ下向きＶ字状となって外下レール３４と後述する風止部材に接するようにしてある。前記アタッチメント５３の本体５０外面５１に沿った部分５３ｂの下部外面には図２と図４に示すように下部小口隠し５９が取付けてある。
　【００１９】
　前記内・外障子６，７の下框９，１４は図３に示すように下向凹部９ａ，１４ａを有し、この下向凹部９ａ，１４ａの両側下部に下横シール材６０がそれぞれ装着してあると共に、戸車６１が上下動可能に取付けてある。
　【００２０】
　図３は戸車６１を下框９，１４に対して上方に移動した状態を示し、それによって内・外障子６，７が相対的に下方に移動して下横シール材６０が内・外下レール３３，３４に接している。前述の状態より戸車６１を下框９，１４に対して下方に移動すると内・外障子６，７が相対的に上方に移動して下横シール材６０が内・外下レール３３，３４と離隔し、内・外障子６，７を開閉する際の力が小さくて良い。
　【００２１】
　前記内・外召合せ框１０，１５の下部は切欠きされ、その切欠きした部分より下框９，１４を挿入して連結してあり、下框９，１４に装着した下横シール材６０は内・外召合せ框１０，１５の本体４０，５０の外面４１，５１まで連続してシール材４６，５６と接している。これにより、内・外障子６，７の下部と内・外下レール３３，３４との間を確実に水密できる。
　【００２２】
　前記プレート３５は図５に示すように、召合せ部を境として外障子側プレート３５ａと内障子側プレート３５ｂに分割され、下枠３の凹部３２は召合せ部において開放しており、その開放した下枠３の凹部３２に風止部材７０が図５，図６，図７に示すように取付けてある。
　【００２３】
　前記風止部材７０は、凹部３２に一対の風止ブロック７１を長手方向に間隔を置いてビス７２で取付け、各風止ブロック７１の上面にシリコーンスポンジ等より成る柔軟性プレート７３を接着剤又は両面テープなどでそれぞれ貼着してある。前記風止ブロック７１の室内外方向の両側面には凹溝７４が形成され、この凹溝７４と内立上り片２８、外立上り片２９との間に湿式シール材７５をそれぞれ充填して水密してある。
　【００２４】
　前記柔軟性プレート７３の室内外方向両側上面は図８に示すように上向き斜面７３ａとしてある。これにより、内・外障子６，７を下方に移動して下横シール材６０を内・外下レール３３，３４に接した時に、その下シール片６０ａが上向斜面７３ａに接して水密性が向上する。
　【００２５】
　つまり、下横シール材６０の下シール片６０ａは内・外下レール３３，３４に接することで上向きに変形するので、柔軟性プレート７３と接しなくなるので、その柔軟性プレート７３の室内外方向両側上面を上向き斜面７３ａとして変形した下シール材６０ａが正しく接するようにしてある。
　【００２６】
　前記下枠３の中間横板２６（凹部３２の底部）における一対の風止ブロック７１間には第１次排水孔７６が形成してある。この第１次排水孔７６は中空部２７に開口し、その中空部２７は室外寄り中間縦板２３に形成した第２次排水孔７７で室外側に開口している。この第２次排水孔７７と前記第１次排水孔７６は長手方向に位置がずれている。
　【００２７】
　このようであるから、内・外障子６，７を閉じて下方に移動すると内召合せ框１０の下面及び外召合せ框１５の下面が柔軟性プレート７３にそれぞれ接して下枠３と内・外障子召合せ部下面との間を水密する。
　【００２８】
　前述の状態で外召合せ框１５の下面と柔軟性プレート７３との接触部から雨水が毛細管現象で浸入すると、その浸入した雨水ａは外側の風止ブロック７１より図６，図７に示すよう凹部３２における一対の風止ブロック７１間に滴下し、第１次排水孔７６より中空部２７内に落下し、中空部２７に沿って流れて第２次排水孔７７から室外側に排水される。また、召合せ部で生じた結露は内召合せ框１０の室外面、外召合せ框１５の室内面に沿って流れて前記一対の風止ブロック７１間の凹部３２に滴下し、前述と同様にして室外側に排水される。
　【００２９】
　また、第２次排水孔７７と第１次排水孔７６の位置が長手方向にずれていることにより、第２次排水孔７７より中空部２７内に吹き込まれた空気は中空部２７内で拡散して空気の流れがゆっくりとなる。この中空部２７内の空気は第１次排水孔７６より凹部３２にゆっくりと吹き出す。
　【００３０】
　したがって、強風によって雨水が凹部３２内に吹き込むことがない。
　【００３１】
　前記風止部材７０は図９に示すように、一対の風止ブロック７１の下部を一対の連結材７８で一体的に連結し、その連結部分に開口部７９を有するものとしても良い。
　【００３２】
　前記風止部材７０は図１０に示すように、一対の風止ブロック７１の下部をプレート８０で一体的に連結し、そのプレート８０に排水用の孔８１を形成したものとしても良い。
　【００３３】
　つまり、風止部材７０は上面が長手方向に不連続で、その不連続部分を下面まで連続する排水部を有するものとすれば良い。
　【００３４】
　以上の実施例では内・外障子６，７を上下に移動する特殊な形式の引違いサッシについて述べたが、下枠に内・外下レールを一体的に設けて内・外障子６，７を面内方向にのみ移動して開閉する通常の引違いサッシでも良いことは勿論である。
　【００３５】
　【発明の効果】
　第１の発明によれば、風止部材の上面が長手方向に不連続であることから、その風止部材の上面と外障子の召合せ框の下面との接触部に毛細管現象で浸入した雨水は不連続部分に滴下して室内側まで浸入しない。
　また、風止部材には不連続部分を下面まで連続した排水部が形成され、その排水部は下枠に形成した排水孔で室外側に開口していることから、前記不連続部分に滴下した雨水は排水部、排水孔より下枠の室外側に排水される。
　したがって、内・外障子の召合せ部から雨水が室内側に浸入することを確実に防止できるので、水密性の優れた召合せ部水密構造となる。
　【００３６】
　
さらに、
【図面の簡単な説明】
　【図１】
　本発明の実施例を示す引違い窓の全体正面図である。
　【図２】
　召合せ部の横断面図である。
　【図３】
　下枠部分の縦断面図である。
　【図４】
　図２のＡ−Ａ断面図である。
　【図５】
　下枠の召合せ部分の平面図である。
　【図６】
　図５のＢ−Ｂ断面図である。
　【図７】
　図５のＣ−Ｃ断面図である。
　【図８】
　内下レールと下横レール材と風止部材の上部を示す縦断面図である。
　【図９】
　風止部材の第２実施例を示す斜視図である。
　【図１０】
　風止部材の第３実施例を示す斜視図である。
　【符号の説明】
　１…サッシ枠、３…下枠、６…内障子、７…外障子、９…下框、１０…召合せ框、１４…下框、１５…召合せ框、２７…中空部、３２…凹部、３３…内下レール、３４…外下レール、３５…プレート、７０…風止部材、７１…風止ブロック、７３…柔軟性プレート、７６…第１次排水孔、７７…第２排水孔。